(57)【特許請求の範囲】
【請求項１】
非使用状態であると判断するとダイヤルロック設定状態へ遷移し、特定暗証番号が入力されると前記ダイヤルロック状態からダイヤルロック解除状態に遷移し、可動部は、折畳み部、フリッパ部、引き出し部のいずれかであり、
それぞれの所定の状態とは、
前記折り畳み部では折り畳まれた状態、
前記フリッパ部では閉じられた状態、
前記引き出し部では閉められた状態を示し、
以下の（１）から（４）
（１）１または複数の所定の可動部が所定の状態とされた場合。
（２）１または複数の所定の可動部が所定の状態とされ、当該状態が所定の時間続いた場合。
（３）１または複数の所定の外部装置と接続された場合。
（４）１または複数の所定の外部装置に接続された状態が所定の時間以上続いた場合。
の任意に設定されたいずれか２以上（全部を含む）の条件を満たす場合に非使用状態であると判断して再度ダイヤルロック設定状態に遷移することを特徴とする携帯端末。
【請求項２】
前記所定の外部装置の一つは充電器であることを特徴とする請求項１に記載の携帯端末。
【発明の詳細な説明】
【０００１】
【発明の属する技術分野】
本発明は、ダイヤルロック機能を有する携帯電話やＰＤＡ（personal digital assistants ）などの携帯端末に関し、特に、非使用状態であると判断するとダイヤルロック設定状態へ遷移する携帯端末に関する。
【０００２】
【従来の技術】
従来、携帯端末は、ダイヤルロック機能を有するものがある。ダイヤルロック機能は、当該機能が実行されているとき（ダイヤルロック中）には、携帯端末の所定の機能しか使用できないように制限する機能である。適宜、本願明細書では、ダイヤルロック機能が実行されている（ダイヤルロック中）の携帯端末の状態をダイヤルロック設定状態、ダイヤルロック機能が実行されていない端末の状態を通常状態（ダイヤルロック解除状態）と表記する。
【０００３】
ダイヤルロック機能を有する携帯端末は、操作者から所定の指示が入力されると通常状態からダイヤルロック設定状態へ遷移する。また、ダイヤルロック設定状態時に所定の情報が入力された場合には通常状態へ遷移する。この所定の情報は、通常、暗証番号が採用される。暗証番号は、携帯端末の操作者しか知り得ない。そのため、操作者以外の者が上記携帯端末を通常状態へ遷移させることは事実上不可能となる。以下、図７を用いて、ダイヤルロック機能について説明する。なお、図７の動作を行う携帯端末は、ダイヤルロック設定状態にある場合には特定暗証番号以外の入力は受け付けないように設定されているものとする。つまり、ダイヤルロック解除状態でなければ実質的に使用することができないものとする。
【０００４】
図７に示すように、携帯端末は、ダイヤルロック設定状態にある場合、特定暗証番号が入力されると（要因６５）ダイヤルロック解除状態６２に遷移する（６３）。ダイヤルロック解除状態にある場合、ダイヤルロック設定操作が行われると（要因６６）、ダイヤルロック設定状態６１へ遷移する（６４）。
【０００５】
操作者は、上記特定暗証番号を知っているため、この番号を入力すれば（要因６５）、携帯電話端末をダイヤルロック解除状態６２へ遷移させることができる。
これに対し、上記携帯端末は、ダイヤルロック設定状態６１にある携帯端末をダイヤルロック解除状態６２へ遷移させるためには特定暗証番号の入力が必要となる。したがって、この特定暗証番号を知らない者（操作者以外の者）が使用することは事実上できない。
したがって、上記携帯端末は、盗難／紛失されても第三者に実質的に使用される可能性が極めて低い。
【０００６】
【発明が解決しようとする課題】
しかしながら、操作者は、ダイヤルロック解除状態にある携帯端末をダイヤルロック設定状態に遷移させるためには、ダイヤルロック設定操作を行う必要があった（要因６６）。ダイヤルロック設定操作は、一般に、携帯端末のテンキーやキーボードなどの入力部を用いてダイヤルロック機能を呼び出し、さらにダイヤルロック設定状態への遷移指示を入力する操作となる。
【０００７】
このように、ダイヤルロック設定操作は作業工程／入力作業量が多く煩雑である。
したがって、操作者の中にはダイヤルロック設定操作を行うことを忘れてしまう者も多い。また、設定が面倒であるという理由でダイヤルロック機能を用いない操作者もいる。しかし、ダイヤルロック設定操作が行われない場合には、携帯端末は、ダイヤルロック状態へ遷移しないため、操作者以外の者が使用可能となってしまう。つまり、ダイヤルロック機能を有するにもかかわらず、操作者以外の者（主に悪意の者）による使用を有効に防止できない。
【０００８】
これに対し、特開平１０−２５７１７０号公報には、ダイヤルロック設定状態にある時に、特定暗証番号と相手先電話番号が入力されると、ダイヤルロック設定状態を解除し、この相手先電話番号に発信し、通話が終了すると、ダイヤルロック設定状態に戻す携帯電話端末に関する技術が開示されている。
しかし、この技術では、通話を行う毎に暗証番号を入力しなければならない。したがって、複数回連続使用する場合には、通話のたびに暗証番号を入力する必要があり、操作が極めて煩雑となってしまう。
【０００９】
特開平１１−３５５４３２号公報には、ダイヤル操作が不正に行われないようにするダイヤルロック機能を備えた移動体通信端末において、ダイヤルロック設定中にこのダイヤルロックを解除する選択キーまたはダイヤルロックを一時解除する選択キーの入力操作が行われると、入力された暗証番号の照合が行われ、その結果この暗証番号が正しければ、入力操作が行われた解除または一時解除によりダイヤルロック解除を行う技術が開示されている。
しかし、この技術では、操作者は、ダイヤルロック機能を解除するか一時解除するかを事前に判断しなければならない。そのため、ダイヤルロック機能を解除すると選択したにもかかわらず、使用後すぐにダイヤルロック設定をすることもある。一時解除すると選択したにもかかわらず、一時使用後すぐに解除しなければならないこともあり得る。また、ダイヤルロック解除操作は、特定暗証番号の入力の他に、一時解除とするか否かの指示を入力しなければならないため、より煩雑なものとなる。
【００１０】
本発明は、上記問題点に鑑みなされたものであり、ダイヤルロックの設定を容易に行うことができる携帯電話端末を提供することを目的とする。
【００１１】
【課題を解決するための手段】
かかる目的を達成するために、請求項１記載の発明は、非使用状態であると判断するとダイヤルロック設定状態へ遷移し、特定暗証番号が入力されると前記ダイヤルロック状態からダイヤルロック解除状態に遷移し、
可動部は、折畳み部、フリッパ部、引き出し部のいずれかであり、
それぞれの所定の状態とは、
前記折り畳み部では折り畳まれた状態、
前記フリッパ部では閉じられた状態、
前記引き出し部では閉められた状態を示し、
以下の（１）から（４）
（１）１または複数の所定の可動部が所定の状態とされた場合。
（２）１または複数の所定の可動部が所定の状態とされ、当該状態が所定の時間続いた場合。
（３）１または複数の所定の外部装置と接続された場合。
（４）１または複数の所定の外部装置に接続された状態が所定の時間以上続いた場合。
の任意に設定されたいずれか２以上（全部を含む）の条件を満たす場合に非使用状態であると判断して再度ダイヤルロック設定状態に遷移することを特徴とする。
【００１５】
請求項２記載の発明は、請求項１に記載の携帯端末において、前記所定の外部装置の一つは充電器であることを特徴とする。
【００１７】
【発明の実施の形態】
以下、本発明の実施の形態を添付図面を参照しながら詳細に説明する。
本発明に係る携帯端末は、非使用状態であると判断するとダイヤルロック設定状態へ遷移することを特徴とする。
【００１８】
非使用状態とは、携帯端末が利用者に使用されていない状態をいう。非使用状態であるか否かの判断条件は任意に設定できる。
例えば、次の（１）〜（４）のいずれかの条件を具備する場合に非使用状態であると判断してもよい。
また、予め設定された複数の条件を具備する場合には非使用状態と判断するようにしてもよい。例えば、（１）と（３）の条件が満たされている場合に非使用状態であると設定することもできる。
また、下記条件の内、複数の条件を具備する場合に非使用条件と判断するようにしてもよい。例えば、２つ以上の条件を具備している場合に非使用状態であると設定した場合、（１）〜（４）の内のいずれか２以上の条件が満たされている場合に非使用状態と判断すればよい。
（１）１又は複数の所定の可動部が所定の状態とされた場合。
（２）１又は複数の所定の可動部が所定の状態とされ、状態が所定の時間続いた場合。
（３）１又は複数の所定の外部装置と接続された場合。
（４）１又は複数の所定の外部装置に接続された状態が所定の時間以上続いた場合。
ただし、判断条件は、上記（１）〜（４）に限定されず、任意に設定できる。
【００１９】
なお、所定の可動部とは、一の部材（例えば筐体）に対して相対的な位置を変更可能な部材をいう。例えば、図６に示す折り畳み式携帯端末において、上筐体５９は、下筐体５８に対してヒンジ５７を中心として相対的な位置を変更できる（折り畳める：開いた状態と閉じた状態にできる）ため、所定の可動部とすることができる。また、図６において、アンテナ５６は、上筐体５９に対して相対的な位置を変更できる（引き出した状態と上筐体５９にしまった状態にできる）ため、所定の可動部とすることができる。
【００２０】
所定の状態とは、上記所定の可動部が遷移可能な状態の内のいずれかの状態をいう。すなわち、上記所定の可動部の上記一の部材に対する相対的な位置が所定の位置である場合をいう。例えば、図６において可動部を上筐体５９とし一の部材を下筐体５８とした場合、この可動部は、開いた状態（図６に示す状態、折り畳まれていない状態）と閉じた状態とに遷移できる。したがって、本例では、所定の状態を開いた状態又は閉じた状態のいずれかの場合とする。
所定の状態であるか否かは公知の方法を用いて判定すればよく、例えば、マグネットセンサ、機械的センサ、光学的センサ等を採用できる。
【００２１】
所定の外部装置とは、携帯端末に接続可能な装置の内、予め設定された装置をいう。このような外部装置としては、例えば、携帯端末用の充電器（充電装置）がある。充電器とは、携帯端末と電源とを電気的に接続する部材である。すなわち、携帯端末は、充電されている場合（上記（３））又は充電されている状態が所定の時間続いた場合（上記（４））に非使用状態であると判断してもよい。ただし、充電器以外の所定の装置にも接続していることを条件としてよいことは前記したとおりである。
所定の時間は任意に設定できる。
【００２２】
また、上記条件の内、特に好ましく採用する条件は、以下の少なくとも一つである。以下に掲げる条件は、一般に、携帯端末が操作者に使用されていない場合（非使用状態）の態様だからである。
つまり、操作者は、携帯端末の使用を終えた後「しまう」操作を行う。そこで、携帯端末は、この「しまう」操作があった場合にダイヤルロックを設定するようにすれば、ダイヤルロックのかけ忘れを防止することができる。
・携帯端末が折り畳み式の場合、折り畳まれたとき。又は、折り畳まれた状態が所定の時間続いたとき。
・携帯端末にフリッパ部がある場合、フリッパ部が閉められたとき。又は、閉められた状態が所定の時間続いたとき。
・携帯端末に引き出し部がある場合、引き出し部が閉じられたとき。又は、閉じられた状態が所定の時間続いたとき。
・充電器に接続されたとき。又は、接続された状態が所定の時間続いたとき。
【００２３】
なお、フリッパ部（ふた）とは、一の部材に対してヒンジなどで相対的な位置（角度など）をかえることができる部材である。
例えば、図８（ａ）に示す携帯端末のフリッパ部８０は、図８（ｂ）に示すようにヒンジ８１を中心として筐体８２との相対的な位置を変えることができる。携帯端末の使用時には図８（ｂ）に示すようにフリッパ部８０を開いた状態とし、テンキー部（入力部）やマイクロフォン（音声入力部）を外部に露出させる。非使用時には図８（ａ）に示すように閉じた状態とする。そこで、図８（ａ）に示す状態、すなわちフリッパ部が閉められたとき、又は閉められた状態が所定の時間続いたときを非使用状態であると設定できる。
フリッパ部の状態を検出する方法としては公知の方法を採用すればよく、例えば、マグネットセンサ、機械的センサ、光学的センサ等を採用できる。
【００２４】
引き出し部とは、一の部材（主に筐体）に対してスライド可能（平行移動可能）な部材をいう。携帯端末は、携帯性を担保するために大きさが限定される。例えば、使用時には引き出し部を一の部材からスライドさせ、種々の構成要素（マイクロフォンやテンキー部など）を露出させる。非使用時には、引き出し部が閉じられ、携帯しやすい大きさにされる。
例えば、図９（ａ）に示す携帯端末の引き出し部９０は、筐体９１上をスライドされることで図９（ｂ）に示す形態となる。携帯端末の使用時には図９（ｂ）に示すようにスライド部９０を開いた状態とし、非使用時には図９（ａ）に示すように閉じた状態とする。そこで、図９（ａ）に示す状態、すなわち引き出し部が閉じられたとき、又は閉じられた状態が所定の時間続いたときを非使用状態と設定できる。
引き出し部の状態を検出する方法としては公知の方法を採用すればよく、例えば、マグネットセンサ、機械的センサ、光学的センサ等を採用できる。
以下、携帯端末の一つである折り畳み式携帯電話端末を例にとりさらに詳細に説明する。
【００２５】
折り畳み式携帯電話端末の外観例を図６に示す。図６に示すように、ＬＣＤ（liquid crystal display）５１と、操作パネル５２と、外部インタフェースコネクタ５３と、折り畳み検出用マグネット（磁石）５４と、リードスイッチ５５と、アンテナ５６と、ヒンジ５７とを有する。
【００２６】
上記携帯電話端末の内部構成例を図５に示す示す。図５に示すように、この携帯電話端末は、無線部４１と、制御部４２と、表示部４３と、音声処理部４４と、操作パネル・スイッチ入力部４５と、充電・電源制御部４６と、外部インタフェース４７と、電源線４８と、制御バス４９とを有する。なお、表示部４３がない構成としてもよい。
【００２７】
無線部４１は、通信処理を行う。
制御部４２は、制御バス４９を介して各構成要素と接続し、端末全体の動作の制御を行う。
表示部４３は、着呼の有無や機能の状態等を、操作者に表示により伝える。
音声処理部４４は、音声を音声信号とし、受信した音声信号を音声に変換する。また、音声信号に補正処理を施す。
操作パネル・スイッチ入力部４５は、操作者から端末の制御指令を入力される。この制御指令は、信号に変換され、制御部４２に入力される。
充電・電源制御部４６は、電源線４８を用いて、端末の各構成要素の電源を管理する。また、外部インタフェース４７を介して充電器と接続し、充電を行う。
外部インタフェース４７は、外部機器と接続するインタフェースである。前記したように、この外部機器が充電器である場合には、充電器と充電・電源制御部４６とを接続させる。
【００２８】
ＬＣＤ５１は、表示部４３に制御され、端末の状態等を表示する。
操作パネル５２は、操作パネル・スイッチ入力部４５に制御され、操作者に制御指示を入力される。操作パネル・スイッチ入力部４５は、操作者が操作パネル５２で入力した制御指示を、制御部４２に信号で入力する。
外部インタフェースコネクタ５３は、外部機器と直接または間接に接続可能で、外部機器とデータ（例えば、電話帳データや電子メールデータ）のやりとりを行う。また、前記したように、充電端子として機能するようにしてもよく、充電機器と充電・電源制御部４６とを接続させ、充電を行わせる。なお、充電端子は、図６に示す携帯電話端末の裏面に設けられるようにしてもよい。
リードスイッチ５５は、折り畳み検出用マグネット５４と所定の距離内にあることを磁力の強さを図ることで検出し、端末が折り畳まれているか否かを判断する。この判断結果は、制御部４２に入力される。
ヒンジ５７は、端末の上部と下部とをつなぎ、ヒンジ５７周りでこの上部と下部との折り畳みを可能とする。
【００２９】
図２は、上記携帯電話端末の動作を説明するためのフローチャートである。
携帯電話端末の制御部４２は、端末の電源が入れられている（オンである）場合（ステップＳ２１）、操作者からの操作入力を待つ（ステップＳ２２；待機状態／待ち受け画面での操作入力）。例えば、操作パネル・スイッチ入力部４５（操作パネル５２）から入力されてもよく、また、他の要素により入力されるようにしてもよい。端末が開かれた場合に入力（起動開始指示）があったとしてもよい。
【００３０】
制御部４２は、操作入力があった場合、当該入力に対応した処理を行う。この処理は、メニュー処理（ステップＳ２３）、発信処理（ステップＳ２４）、およびその他の処理（ステップＳ２５）に大別される。
メニュー処理とは、操作パネルスイッチ入力部４５のメニューキーが押下された場合の処理であり、例えば、図１、図１０におけるダイヤルロック設定操作処理６が含まれる。
上記その他の処理とは、上記メニュー処理、および発信処理以外の処理であり、例えば、図１、図１９における特定暗証番号が入力された場合のダイヤルロック解除処理３を含む。
制御部４２は、電源がオフになるまで、上記処理を繰り返す（ステップＳ２６、ステップＳ２７）。
【００３１】
なお、図２に示すフローを次のように言い換えることもできる。
携帯電話端末の制御部４２は、端末の電源が入れられている（オンである）場合（ステップＳ２１）、待機状態で、操作者からの操作入力を待つ（ステップＳ２２；待ち受け画面での操作入力）。この操作入力は、操作パネル・スイッチ入力部４５（操作パネル５２）から入力されてもよく、また、他の要素により入力されるようにしてもよい。例えば、リードスイッチ５５が端末が開かれたことを検知した場合、この情報を操作入力としてもよい。
この操作入力により、制御部４２は、メニュー処理（ステップＳ２３）、発信処理（ステップＳ２４）、およびその他の処理（ステップＳ２５）に大別される処理を行う。
上記メニュー処理とは、操作パネルスイッチ入力部４５のメニューキーが押下された場合の処理であり、図１におけるダイヤルロック設定操作処理６が含まれる。
上記その他の処理とは、上記メニュー処理、および発信処理以外の処理であり、図１における特定暗証番号が入力された場合のダイヤルロック解除処理を含む。
制御部４２は、電源がオフになるまで（ステップＳ２６／ＹＥＳ、ステップＳ２７）、上記処理を繰り返す（ステップＳ２６／ＮＯ）。
【００３２】
図３は、携帯電話端末の割り込み処理の一つである着信処理を説明するためのフローチャートである。この割り込み処理は、図２に示した処理に優先される処理である。一般に、着信処理は、他の処理よりも優先する必要があるため、割り込み処理として処理される。
【００３３】
図３によれば、制御部４２は、着信があると割り込み処理を開始し（ステップＳ２８）、着信処理を行う（ステップＳ２９）。着信処理が終了すると、上記割り込み処理を終了する（ステップＳ３０）。
【００３４】
次に、携帯電話端末の第１のダイヤルロック設定処理及び第２のダイヤルロック設定処理について詳細に説明する。第１のダイヤルロック設定処理は、非使用状態と判断する条件として上記（１）及び／又は（２）を採用した例である。第２のダイヤルロック設定処理は、（３）及び／又は（４）を採用した例である。
【００３５】
（第１のダイヤルロック設定処理）
（状態遷移要因）
図１に、上記携帯電話端末の状態遷移要因を示す。太い矢印は状態遷移を表し、細い矢印は太い矢印が示す状態遷移が発生する要因（状態遷移要因）を示す。
この携帯端末のダイヤルロック設定状態１からダイヤルロック解除状態２への状態遷移の要因は、特定暗証番号の入力である（要因４）。
ダイヤルロック解除状態２からダイヤルロック設定状態１への状態遷移の要因は、ダイヤルロック設定操作（要因６）、外部インタフェース接続検出（要因８）、充電状態検出（要因１０）及び／又は折り畳み検出（要因１２）である。
【００３６】
要因４は、制御部４２が判定する。制御部４２は、操作者が操作パネル・スイッチ入力部４５に入力した情報が特定暗証番号と一致するか判定する。
要因６は、制御部４２が判定する。制御部４２は、図２におけるメニュー処理によりダイヤルロック設定操作が行われたか判定する。
要因８は、外部インタフェース部４７が検出する。外部インタフェース４７は、外部装置と接続したことを公知の方法により検出する。
要因１０は、充電・電源制御部４６が検出する。充電・電源制御部４６は、充電されているか否かを公知の方法により検出する。
要因１２は、制御部４２が判定する。制御部４２は、折り畳み検出用リードスイッチ５５が折り畳み検出用マグネット５４の略近傍にあると判断した場合に携帯電話端末が折り畳まれていると判断する。
なお、要因８、１０における検出結果は、各構成要素から制御部４２に通知される。
【００３７】
制御部４２は、要因６、８、１０、１２のいずれか１又は複数が発生した場合にダイヤルロック設定状態へ遷移するよう設定される。例えば、各要因ごとにフラグが設けられ、フラグが１の要因が発生した場合はダイヤルロック設定状態へ移行するものとする。フラグの設定は、図２におけるメニュー処理のダイヤルロックモードの設定で行うようにしてもよい。
なお、第１のダイヤルロック設定処理の説明においては、各要因に対応するフラグに以下の名前をつける。
要因    ：フラグ
要因１０：ｍ１
要因８  ：ｍ２
要因１２：ｍ３
要因６  ：ｍ４
【００３８】
なお、状態遷移要因を次のように設定してもよい。
図１に示すように特定暗証番号の入力（要因４）は、ダイヤルロック設定状態１からダイヤルロック解除状態２への状態遷移３をもたらす。
ダイヤルロック設定操作（要因６）、外部インタフェース接続検出（要因８）、充電状態検出（要因１０）、および折り畳み検出（要因１２）は、ダイヤルロック解除状態２からダイヤルロック設定状態１への状態遷移５、６、９、１１の要因となる。
【００３９】
図１に示すように、ダイヤルロック設定状態にある携帯電話端末は、特定暗証番号操作部から入力されることで、ダイヤルロック設定状態１からダイヤルロック解除状態２へ状態遷移する。
また、ダイヤルロック解除状態２にある時、図２に示すメニュー処理のダイヤルロック設定操作が行われることで、ダイヤルロック設定状態１へ状態遷移するようにしてもよい。
【００４０】
なお、ダイヤルロック解除状態２からダイヤルロック設定状態１へ状態を変更させる要因としては、外部インターフェースが端末に接続されていることを検出したこと（要因８）、端末が充電中であることを検出したこと（要因１０）、および端末が折り畳まれたことを検出したこと（要因１２）の内のいずれか一のみを採用してもよい。また、要因８と、要因１０と、要因１２と、従来同様のダイヤルロック設定操作が行われること（要因６）と、の内の複数、または全部の要因を採用し、この内の少なくとも１つを満たすことを、ダイヤルロック解除状態２からダイヤルロック設定状態１への状態変更要因としてもよい。
すなわち、例えば、充電中である場合にのみ状態を変更するようにしてもよく、充電中であるかまたは折り畳まれているかの少なくとも一要件を満たしている場合に状態を変更するようにしてもよい。
【００４１】
言い換えれば、ダイヤルロック設定状態にある時に特定暗証番号が入力されるとダイヤルロック設定状態を解除し、外部インタフェースの接続状態を検出するとダイヤルロック設定状態に戻すようにしてもよい。
また、ダイヤルロック設定状態にある時に特定暗証番号が入力されるとダイヤルロック設定状態を解除し、充電状態を検出するとダイヤルロック設定状態に戻すようにしてもよい。
また、ダイヤルロック設定状態にあるときに特定暗証番号が入力されるとダイヤルロック設定を解除し、折り畳まれるとダイヤルロック設定状態に戻すようにしてもよい。
【００４２】
また、ダイヤルロック設定状態にある時に特定暗証番号が入力されるとダイヤルロック設定状態を解除し、複数のダイヤルロック設定要件の内の少なくとも一要件を満たす場合に、ダイヤルロック設定状態へ戻すようにしてもよい。
このダイヤルロック設定要件としては、
・外部インタフェースの接続状態を検出すること、
・端末が充電状態であることを検出すること、
・端末が折り畳まれていること、
・操作者からダイヤルロック設定指示を入力されたこと、
という要件がある。
従って、二つの要件を組み合わせる場合に６通り、三つの要件を組み合わせる場合に４通り、四つの要件を組み合わせる場合に１通りの、計１１通りの要件の組み合わせがあることとなる。
【００４３】
制御部４２は、上記要件の内、どの要件を用いるか、設定されているものとする。  例えば、端末が充電状態であることを検出することという要件をｍ１とし、ｍ１のフラグが１である場合には、これを要件とするようにしてもよい。同様に外部インタフェース接続検出要件をｍ２とし、折り畳み検出要件をｍ３とし、ダイヤルロック設定指示要件をｍ４とする。そして、制御部４２は、フラグ（ダイヤルロックモード）が１であるものを要件として用いるようにする。このダイヤルロックモード（フラグ）は、上記メニュー処理で設定される。
【００４４】
（判断処理）
次に、図４のフローチャートを用い、制御部４２のダイヤルロック設定を行うか否かの判断処理を説明する。なお、ダイヤルロック設定操作はなされていないものとする。
【００４５】
制御部４２は、要因８、１０、１２が発生すると、上記判断処理（割り込み処理）を開始する（ステップＳ３１）。
すなわち、充電・電源制御部４６及び外部インタフェース４７は、要因１０又は８を検出すると、割り込み信号を制御部４２へ出力する。制御部４２は、割り込み信号が入力されると、上記判断処理を開始する。
また、制御部４２は、要因１２を検出すると、上記判断処理を開始する。
【００４６】
要因８が発生した場合、制御部４２はフラグｍ２が１か検索する（ステップＳ３２）。また、要因１０が発生した場合には、フラグｍ１が１か検索し（ステップＳ３３）、要因１２が発生した場合には、フラグｍ３が１か検索する（ステップＳ３４）。
【００４７】
発止した要因に対応するフラグが１と設定されている場合（ステップＳ３２／ＹＥＳ、ステップＳ３３／ＹＥＳ、ステップＳ３４／ＹＥＳ）には、制御部４６は携帯端末をダイヤルロック設定状態へ遷移する（ステップＳ３６）。
発生した要因に対応するフラグが１と設定されていない場合（ステップＳ３４／ＮＯ）には、制御部４６は携帯電話端末をダイヤルロック解除状態のままとする（ステップＳ３５）。
【００４８】
なお、判断処理は次のように行ってもよい。以下の説明では、端末が充電状態であることを検出すること（要因１０）、外部インタフェースが接続状態であることを検出すること（要因８）、および端末が折り畳まれていること（要因１２）の三つの要件を用いる。
【００４９】
制御部４２は、充電・電源制御部４６からの通知により端末が充電中であることを検出したり、外部インタフェース４７からの通知で端末が外部機器と接続していることを検出したり、操作パネル・スイッチ入力部４５からの通知で端末が折り畳まれていることを検出した場合などには、割り込み処理を開始する（ステップＳ３１）。
すなわち、充電・電源制御部４６、外部インタフェース４７、および操作パネル・スイッチ入力部４５は、これらの状態を検知すると、割り込み信号を制御部４２に出力する。そして、制御部４２は、この割り込み信号を受信することで、割り込み処理を開始する。
【００５０】
制御部４２は、外部インタフェース４７から割り込み信号を受信した場合、上記ダイヤルロックモード（フラグ）の内、外部インタフェース接続検出要件ｍ２が１となっているか（設定されているか）検索する（ステップＳ３３）。すなわち、端末が外部インターフェース接続されている場合、上記メニュー処理で設定されたダイヤルロックモードｍ２を検索する。
外部インタフェース４７から割り込み信号を受信しなかった場合、または受信したが上記ダイヤルロックモードｍ２が設定されていなかった（ｍ２＝０）場合（ステップＳ３２／ＮＯ）、ステップＳ３３へ進む。
【００５１】
また、制御部４２は、充電・電源制御部４６から割り込み信号を受信した場合、上記ダイヤルロックモードの内、充電条件要件ｍ１が設定されているか検索する（ステップＳ３３）。すなわち、端末が充電中である場合には、上記メニュー処理で設定されたダイヤルロックモードｍ１を検索する。
充電・電源制御部４６から割り込み信号を受信しなかった場合、または受信したが上記ダイヤルロックモードｍ１が設定されていなかった（ｍ１＝０）場合（ステップＳ３３／ＮＯ）、ステップＳ３４へ進む。
【００５２】
また、制御部４２は、操作パネル・スイッチ入力部４５から割り込み信号を受信した場合、上記ダイヤルロックモードの内、折り畳み検出要件ｍ３が設定されているか検出する（ステップＳ３４）。すなわち、リードスイッチ５５が磁石５４を検出することで端末がヒンジ５７によって折り畳まれていることを検出した場合、ダイヤルロックモードｍ３を検索する（ステップＳ３４）。
操作パネル・スイッチ入力部４５から割り込み信号を受信しなかった場合、または上記ダイヤルロックモードｍ３が設定されていなかった（ｍ３＝０）場合、処理を終了する（ステップＳ３５）。
【００５３】
上記割り込み信号に対応するダイヤルロックモードが設定されている場合（ステップＳ３２／ＹＥＳ、ステップＳ３３／ＹＥＳ、ステップＳ３４／ＹＥＳ）、制御部４２は、ダイヤルロック設定を行う（ステップＳ３５）。すなわち、端末が外部インタフェース接続され、かつ、上記ダイヤルロックモードｍ２が設定されている場合（外部インターフェース接続検出＆ｍ２＝１；ステップＳ３２／ＹＥＳ）、端末が充電中であり、かつ、上記ダイヤルロックモードｍ１が設定されている場合（受電中＆ｍ１＝１；ステップＳ３３／ＹＥＳ）、または端末が折り畳まれており、かつ、上記ダイヤルロックモードｍ３が設定されている場合（折り畳み検出＆ｍ３＝１；ステップＳ３４／ＹＥＳ）、制御部４２は、端末をダイヤルロック解除状態２からダイヤルロック設定状態１へ状態遷移させる。ダイヤルロック設定処理を行った（ステップＳ３５）後、この割り込み処理を終了する。
【００５４】
（第２のダイヤルロック設定処理）
図１０は、第２のダイヤルロック設定処理フローを示す。なお、図１と同じ状態、要因等については同一の符号を付した。また、本例における折り畳み式携帯電話端末が折り畳まれていない状態（図６に示すような状態）を「開状態」、折り畳まれた状態を「閉状態」とする。ダイヤルロック設定状態１の場合にも開状態と閉状態が存在するが、説明の簡略化のため省略する。太い矢印（３、５、１３、２３、２６）は状態遷移を表す。太い矢印方向の細い矢印（４、６、２４、２７、２９）は、太い矢印が示す状態遷移が発生する要因（状態遷移要因）を示す。上記方向と反対方向の細い矢印（２５、２８）は、太い矢印が示す状態遷移によるイベントの発生を表す。
【００５５】
図１の場合と同様に、ダイヤルロック設定状態１において、制御部４２は、特定暗証番号が入力されると（要因４）、携帯電話端末をダイヤルロック解除状態２へ遷移する。
この携帯電話端末は、ダイヤルロック解除状態２において、開状態が所定の時間続いた場合にダイヤルロック設定状態１へ遷移する。以下、詳細に説明する。
【００５６】
ダイヤルロック解除状態２において、制御部４２は、開状態から閉状態へ遷移（遷移２３、要因２４）したと判断すると、ダイヤルロック移行タイマを起動する（イベント１１）。
閉状態８において、上記タイマが満了する前に開状態へ遷移すると（遷移２６、要因２７）、上記タイマを停止する（イベント２８）。
閉状態８において、上記タイマが満了した場合（要因２９）、ダイヤルロック設定状態１へ遷移する（状態遷移１３）。
【００５７】
上記ダイヤルロック移行タイマの値（タイマ満了時間）は、図２におけるメニュー処理２３により設定できる。例えば、このタイマの値を｛０分、１分、２分、３分、４分、５分、なし｝の中から選択できるようにしてもよい。
タイマの値が０分の場合には、上記第１のダイヤルロック設定処理と同様の処理を行うこととなる。タイマの値が「なし」と設定されている場合には、上記処理を行わない。
以上の処理を、図１１及び図１２のフローチャートを用いて説明する。
【００５８】
（タイマの値が０分、なし以外に設定されている場合）
本例ではタイマが１分から５分までのいずれかの値に設定されている場合の処理例である。
制御部４２は、リードスイッチ５５が磁石５４を検出し、端末が折り畳まれたと判断した場合（要因２４）、割り込み処理を開始する（ステップＳ３１）。すなわち、端末は閉状態２２であり、タイマの値が１分〜５分のいずれかに設定されているので（ステップＳ３２／ＹＥＳ）、タイマをスタートする（ステップＳ３５、イベント２５）。
タイマが上記設定値を超えた場合（タイムアウトした場合：ステップＳ３８／ＹＥＳ、要因２９）、ダイヤルロック設定を行う（ステップＳ４０、遷移１３）。つまり、設定された時間分閉状態が続くとタイマはタイムアウトしダイヤルロックが設定する。
タイムアウト前に開状態２１へ遷移したと判断した場合（ステップＳ３２／ＮＯ、ステップＳ３３／ＹＥＳ、要因２７）、タイマを停止する（ステップＳ３６、イベント２８）。開状態２１から閉状態２２へ遷移したと判断すると（ステップＳ３１、３２／ＹＥＳ、要因２４）、タイマを再開する（タイマリスタート：ステップＳ３５）。なお、タイマを０にしてから計測を再開してもよい。
【００５９】
（タイマの値が０分と設定されている場合）
制御部４２は、端末が閉状態であると判断すると（ステップＳ３１、ステップＳ３２／ＹＥＳ、要因２４）、タイマをスタートする（ステップＳ３５、イベント２５）。この場合、上記設定値は０分であるので、タイマスタートと同時にタイムアウトする（ステップＳ３８／ＹＥＳ、要因２９）。したがって、閉状態になるとすぐにダイヤルロック設定を行う（ステップＳ４０）。
【００６０】
（タイマの値がなしと設定されている場合）
制御部４２は、端末が閉状態であると判断するが、タイマ設定がないため（ステップＳ３２、ステップＳ３３／ＮＯ）、処理を終了する。
【００６１】
なお、第２のダイヤルロック設定処理では、折り畳み式携帯電話端末が開状態か閉状態かによって制御を行う例を示したが、他の要因によって制御を行うことも当然に可能である。例えば、前記したような要因（フリッパ部が閉じているか、引き出し部が閉じられているか、外部装置と接続されているか、充電器と接続されているかなど）に適宜変更可能である。
【００６２】
以上、この発明の好適な実施の形態を説明したが、上述の実施の形態はこの発明の説明のための例示であって、この実施形態のみにこの発明の範囲を限定する趣旨ではない。当業者は、この発明の要旨を逸脱することなく、種々の変形、改良、修正、簡略化などを上記実施形態に加えた種々の他の形態でもこの発明を実施することができる。
上記説明では携帯端末として携帯電話端末を用いたがこれに限定されるものではない。例えば、ＰＤＡ、ＰＨＳ（personal handy-phone system ）端末、ノート型／ラップトップ型等の小型汎用コンピュータなどにも当然に適用可能であるまた、上記説明ではダイヤルロック解除状態への遷移要因を所定の番号（暗証番号）の入力があった場合としたが、本発明はこれに限定されるものではない。すなわち、任意の要因をダイヤルロック解除状態への遷移要因とできる。例えば、個人認証情報（指紋の情報、声紋の情報等）が入力されたことを遷移要因としてもよく、操作者に付与されたＩＤカードに含まれる情報が入力されたことを遷移要因としてもよい。
【００６３】
また、本発明に係る携帯端末は、当然に次のものも含む。
（１）ダイヤルロック設定状態にある際に特定暗証番号が入力されると、ダイヤルロック設定状態を解除し、端末が外部機器に接続されていることを検出した場合に、ダイヤルロック設定状態へ戻す端末。
（２）ダイヤルロック設定状態にある際に特定暗証番号が入力されると、ダイヤルロック設定状態を解除し、端末が充電されていることを検出した場合に、ダイヤルロック設定状態へ戻す端末。
（３）ダイヤルロック設定状態にある際に特定暗証番号が入力されると、ダイヤルロック設定状態を解除し、端末がヒンジで折り畳まれていることを検出した場合に、ダイヤルロック設定状態へ戻す端末。
（４）ダイヤルロック設定状態にある際に特定暗証番号が入力されると、ダイヤルロック設定状態を解除し、端末が外部機器に接続されていること、および端末が充電されていることの少なくとも１つを検出した場合に、ダイヤルロック設定状態へ戻す端末。
（５）ダイヤルロック設定状態にある際に特定暗証番号が入力されると、ダイヤルロック設定状態を解除し、端末が外部機器に接続されていること、および端末がヒンジで折り畳まれていることの少なくとも１つを検出した場合に、ダイヤルロック設定状態へ戻す端末。
（６）ダイヤルロック設定状態にある際に特定暗証番号が入力されると、ダイヤルロック設定状態を解除し、端末が充電されていること、および端末がヒンジで折り畳まれていることの少なくとも１つを検出した場合に、ダイヤルロック設定状態へ戻す端末。
（７）ダイヤルロック設定状態にある際に特定暗証番号が入力されると、ダイヤルロック設定状態を解除し、端末が外部機器に接続されていること、端末が充電されていること、および端末がヒンジで折り畳まれていることの少なくとも１つを検出した場合に、ダイヤルロック設定状態へ戻す端末。
（８）操作者からダイヤルロック設定指示を入力された場合に、ダイヤルロック設定状態へ戻す（１）から（７）のいずれか１の端末。
（９）折りたたみ式、フリッパ式およびケースを引き出して使用する形式のように、使用後に閉じる、もしくはしまう操作を有する携帯電話に関し、使用中の状態と（開状態）、閉じた、もしくはしまわれた状態（閉状態）を検出する手段と、ユーザがあらかじめダイヤルロック移行タイマを設定できる手段と、ダイヤルロック移行タイマは開状態から閉状態への遷移を検出して起動し、閉状態から開状態への遷移を検出して停止し、ダイヤルロック移行タイマがタイムアウトした場合はダイヤルロックを設定する手段を有する端末。
【００６４】
【発明の効果】
以上の説明から明らかなように、本発明によれば、操作者は、特別な操作を行わなくても携帯端末をダイヤルロック設定状態に遷移させることが可能となる。つまり、携帯端末は、非使用状態と判断すればダイヤルロック設定状態に遷移する。
【００６５】
一般に、操作者は、携帯端末を使用しない場合、携帯端末を所定の状態とする。すなわち、携帯端末を、折り畳む／フリッパをしまう／充電器に接続するなどする。
そのため、携帯端末が、このような状態である場合に非使用状態であると判断しダイヤルロック設定状態へ遷移すれば、操作者は、特別な操作（ダイヤルロック設定操作）を行わなくてもダイヤルロックさせることが可能となる。これにより、ダイヤルロックのかけ忘れを防止できる。
【００６６】
また、上記状態が所定の時間続いた場合にダイヤルロック設定状態へ遷移するように設定すれば、非使用状態となった後すぐに使用する場合、ダイヤルロック解除操作を行う必要がなくなる。
【図面の簡単な説明】
【図１】本発明による携帯端末のダイヤルロック設定・解除動作を説明するための第１の図である。
【図２】制御部の通常時の動作を説明するためのフローチャートである。
【図３】着信処理時の割り込み処理を説明するためのフローチャートである。
【図４】図１の携帯端末のダイヤルロック設定処理を説明するためのフローチャートである。
【図５】携帯端末の内部構成例を示すブロック図である。
【図６】携帯端末の外観例を示す図である。
【図７】従来の携帯電話端末のダイヤルロック設定・解除動作を説明するための図である。
【図８】フリッパ部を有する携帯端末の外観の例を示す図である。
【図９】引き出し部を有する携帯端末の外観の例を示す図である。
【図１０】携帯端末のダイヤルロック設定・解除動作を説明するための第２の図である。
【図１１】図１０の携帯端末のダイヤルロック設定処理を説明するための第１のフローチャートである。
【図１２】図１０の携帯端末のダイヤルロック設定処理を説明するための第２のフローチャートである。
【符号の説明】
１  ダイヤルロック設定状態
２  ダイヤルロック解除状態
３、５、７、９、１１  状態遷移方向
４  特定暗証番号入力
６  ダイヤルロック設定操作
８  外部インタフェース接続検出
１０  充電状態検出
１２  折り畳み検出
２１  開状態
２２  閉状態
２４  折り畳み検出
２５  タイマーリスタート
２７  閉状態検出
２８  タイマストップ
２９  タイマ満了
４１  無線部
４２  制御部
４３  表示部
４４  音声処理部
４５  操作パネル・スイッチ入力部
４６  充電・電源制御部
４７  外部インタフェース
４８  電源線
４９  制御バス
５１  ＬＣＤ（表示部）
５２  操作パネル
５３  外部インタフェースコネクタ
５４  折り畳み検出用マグネット（磁石）
５５  折り畳み検出用リードスイッチ
５６  アンテナ
５７  折り畳み用ヒンジ
５８  下筐体
５９  上筐体
６１  ダイヤルロック設定状態
６２  ダイヤルロック解除状態
６３、６４  状態遷移方向
６５  特定暗証番号入力
６６  ダイヤルロック設定操作
８０  フリッパ部
８１  ヒンジ
８２  筐体
９０  引き出し部
９１  筐体
【図１】
0003707417.tif 000002
【図２】
0003707417.tif 000003
【図３】
0003707417.tif 000004
【図４】
0003707417.tif 000005
【図５】
0003707417.tif 000006
【図６】
0003707417.tif 000007
【図７】
0003707417.tif 000008
【図８】
0003707417.tif 000009
【図９】
0003707417.tif 000010
【図１０】
0003707417.tif 000011
【図１１】
0003707417.tif 000012
【図１２】
0003707417.tif 000013